(57)【特許請求の範囲】
【請求項１】
障子と、前記障子が取り付けられる合成樹脂製の枠体と、を備えた建具であって、
前記障子は、外周部に設けられて内側に窪む溝部を有する合成樹脂の框と、前記溝部内に設けられ前記枠体より融点が高い材料で形成された溝補強部材と、を備え、
前記枠体は、当該枠体の内周に臨む見込面から内周側に突出された突出部と、前記見込面と前記突出部とに沿って設けられ前記枠体より融点が高い材料で形成され、前記障子が当該枠体に取り付けられた状態で前記溝部に前記突出部が挿入されて前記溝補強部材と見込み方向において対向する突部補強部材と、
を備え、
前記突部補強部材は、前記枠体の内周側に位置する先端が前記溝補強部材と見込み方向において重なる部位と、前記枠体の内周側に位置する先端が前記突出部以上に前記内周側に張り出す張出部と、を有していることを特徴とする建具。
【請求項２】
請求項１に記載の建具であって、
前記障子は、前記枠体に案内されて移動するとともに、前記枠体により形成される開口を閉止可能に複数設けられており、
前記突部補強部材は、複数の前記障子により前記開口を閉じたときに、前記障子と対向する範囲に設けられていることを特徴とする建具。
【請求項３】
請求項１または請求項２に記載の建具であって、
前記枠体は、前記障子の上下に位置する横枠と、前記障子の左右に設けられる縦枠とを有し、
前記突部補強部材は、前記横枠と前記縦枠とに設けられており、
前記縦枠に設けられた前記突部補強部材は、前記横枠に設けられた前記突部補強部材より前記内周側に突出する突出量が大きいことを特徴とする建具。
【請求項４】
請求項１乃至請求項３のいずれかに記載の建具であって、
前記突部補強部材は、前記突出部の先端側に係止される係止片を有し、
前記張出部は前記係止片より先端側に設けられていることを特徴とする建具。
【請求項５】
請求項１乃至請求項４のいずれかに記載の建具であって、
前記障子として、室内側に設けられる内障子と、室外側に配置される外障子とを有し、
前記突部補強部材において、前記内障子の前記溝部に挿入されている前記突出部に沿う部位は、当該突出部の室外側にて前記溝補強部材と見込み方向において重なり、
前記外障子の前記溝部に挿入されている前記突出部に沿う部位は、当該突出部の室内側にて前記溝補強部材と見込み方向において重なっていることを特徴とする建具。
【発明の詳細な説明】
【技術分野】
【０００１】
本発明は、障子と合成樹脂製の枠体とを備えた建具に関する。
【背景技術】
【０００２】
障子と合成樹脂製の枠体とを備えた建具としては、例えば、引違い窓用の合成樹脂製の窓枠と障子とを備えた建具が知られている（例えば、特許文献１参照）。合成樹脂製の窓枠は、断熱性および強度向上のために、障子を支持するレールも含めて中空構造をなしている。このような合成樹脂製の建具では、火炎に晒されたときに合成樹脂製の窓枠や障子が溶融して見込み方向に火炎が貫通しないように、また、レールから障子が外れないように、窓枠や障子の框が備える中空部内に金属製の補強材が備えられているとともに、障子の外周部に設けられた溝部の内面に沿うように設けられた金属製の補強材に、中空部内に補強部材が設けられたレール等が挿入されている。
【先行技術文献】
【特許文献】
【０００３】
【特許文献１】特開２００５−３５１００９号公報
【発明の概要】
【発明が解決しようとする課題】
【０００４】
建具には、レールと溝部との間を止水するために、溝部の開放端側にレールに向かって突出する止水材が設けられていることがある。このため、溝部内に設けられる補強材の先端は止水材よりも溝部の内側に位置しており、溝内の補強材は溝部の開放端までは設けられていない。一方、レールの中空部内に設けられた補強材は、合成樹脂製のレールの肉厚分、レールより突出量が小さくなる。このため、レール内の補強材と溝部内の補強材との掛かり代が小さく、火炎に晒されて窓枠および障子が溶融した際に障子を保持できない虞がある。
【０００５】
本発明は、かかる課題に鑑みてなされたものであり、その目的とするところは、火炎に晒されても障子を枠体により確実に保持することが可能な建具を提供することにある。
【課題を解決するための手段】
【０００６】
かかる目的を達成するために本発明の建具は、障子と、前記障子が取り付けられる合成樹脂製の枠体と、を備えた建具であって、前記障子は、外周部に設けられて内側に窪む溝部を有する合成樹脂の框と、前記溝部内に設けられ前記枠体より融点が高い材料で形成された溝補強部材と、を備え、前記枠体は、当該枠体の内周に臨む見込面から内周側に突出された突出部と、前記見込面と前記突出部とに沿って設けられ前記枠体より融点が高い材料で形成され、前記障子が当該枠体に取り付けられた状態で前記溝部に前記突出部が挿入されて前記溝補強部材と見込み方向において対向する突部補強部材と、を備え、前記突部補強部材は、前記枠体の内周側に位置する先端が前記溝補強部材と見込み方向において重なる部位と、前記枠体の内周側に位置する先端が前記突出部以上に前記内周側に張り出す張出部と、を有していることを特徴とする建具である。
【０００７】
このような建具によれば、障子の溝部に設けられた溝補強部材と、枠体の内周に臨む見込面と、見込面から内周側に突出されて突出部とに沿って設けられた突部補強部材とは、合成樹脂より融点が高い材料で形成されているので、例え火炎などに晒されたとしても溶融し難い。このため、枠体および框よりも長時間溶融することなく火炎に耐えることが可能である。また、突出部に沿って枠体に設けられた突部補強部材は、障子の溝補強部材に挿入されているので、例え火炎に晒されて枠体および框が溶融したとしても、障子が枠体から外れることを防止することが可能である。このとき、突部補強部材は溝補強部材と見込み方向において重なる部位を有しているので、火炎に晒されて枠体および框が溶融したときには、突部補強部材が設けられていない場合より確実に、障子を枠体に保持することが可能である。
【０００８】
また、突部補強部材は、内周側の先端が、突出部以上に内周側に張り出す張出部を有しているので、例え火炎に晒されて枠体および框が溶融したときに、突部補強部材が設けられていない場合より確実に、障子を枠体に保持することが可能である。
【０００９】
かかる建具であって、前記障子は、前記枠体に案内されて移動するとともに、前記枠体により形成される開口を閉止可能に複数設けられており、前記突部補強部材は、複数の前記障子により前記開口を閉じたときに、前記障子と対向する範囲に設けられていることが望ましい。
【００１０】
このような建具によれば、突部補強部材は、複数の障子により開口を閉じたときに、障子と対向する範囲に設けられているので、開口を閉じたときに火炎に晒されても、より確実に障子を枠体に保持することが可能である。
【００１１】
かかる建具であって、  前記枠体は、前記障子の上下に位置する横枠と、前記障子の左右に設けられる縦枠とを有し、前記突部補強部材は、前記横枠と前記縦枠とに設けられており、前記縦枠に設けられた前記突部補強部材は、前記横枠に設けられた前記突部補強部材より前記内周側に突出する突出量が大きいことが望ましい。
【００１２】
溝部を備えた障子は、けんどん方式にて枠体に建て込まれるため、上下方向においては突出部と溝補強部材との間に間隔が必要であるが、左右方向、すなわち戸先框に設けられた溝部の溝補強部材と突出部との間には上下方向ほど大きな間隔は必要ない。このため、縦枠に設けられた突部補強部材を、横枠に設けられた突部補強部材より内周側に突出する突出量を大きくすることにより、縦枠と戸先框との掛かり代をより大きくすることが可能である。このため、火炎に晒されても、より確実に障子を枠体に保持することが可能である。
【００１３】
かかる建具であって、前記突部補強部材は、前記突出部の先端側に係止される係止片を有し、前記張出部は前記係止片より先端側に設けられていることが望ましい。
このような建具によれば、突部補強部材が、突出部の先端側に係止される係止片を有しているので、突部補強部材をより確実に突出部に沿わせることが可能である。また、突部補強部材の張出部は係止片より先端側に設けられているので、係止片より先端側の部位を切除することにより、容易に突出量が相違する突部補強部材を形成することが可能である。
【００１４】
かかる建具であって、前記障子として、室内側に設けられる内障子と、室外側に配置される外障子とを有し、前記突部補強部材において、前記内障子の前記溝部に挿入されている前記突出部に沿う部位は、当該突出部の室外側にて前記溝補強部材と見込み方向において重なり、前記外障子の前記溝部に挿入されている前記突出部に沿う部位は、当該突出部の室内側にて前記溝補強部材と見込み方向において重なっていることが望ましい。
【発明の効果】
【００１５】
本発明によれば、火炎に晒されても障子を枠体により確実に保持することが可能な建具を提供することが可能である。
【図面の簡単な説明】
【００１６】
【図１】本実施形態に係る建具を室内側から見た図である。
【図２】本実施形態に係る建具の縦断面図である。
【図３】本実施形態に係る建具の横断面図である。
【図４】上枠と外障子の上框との係合部を示す縦断面図である。
【図５】上枠と内障子の上框との係合部を示す縦断面図である。
【図６】上枠を下方から見た図である。
【図７】左枠と外障子の戸先框との係合部を示す横断面図である。
【発明を実施するための形態】
【００１７】
以下、本発明の一実施形態に係る建具について図面を参照して説明する。
本実施形態の建具は、図１〜図３に示すように、内障子３および外障子４を備えた引違い窓用の建具１である。
【００１８】
枠体１０は、合成樹脂製の４本の押出成形部材でなる枠材１１、１２、１３、１４が上枠１１、下枠１２、左枠１３および右枠１４をなすように矩形状に枠組みされて形成されている。上枠１１、下枠１２、左枠１３および右枠１４は、図１に示すように、各々所定の長さにて、端部が長手方向に対して斜めに切断され、互いに隣接する枠材１１、１２、１３、１４の端部同士が突き合わされて溶着されている。各枠材１１、１２、１３、１４の断面形状はほぼ同一である。
【００１９】
上枠１１、下枠１２、左枠１３および右枠１４の構造については、上枠１１を例に挙げて説明し、下枠１２、左枠１３および右枠１４については、上枠１１と同一の部位に、各々の枠材を示す番号（例えば左枠の場合には「１３」）の後に同一の数字およびアルファベット添えた符号を付して示すものとする。また、上枠１１の説明において、他の枠材１２、１３、１４にも共通するように方向を示すため、枠体１０の面内方向において開口１０ａの中央側となる上枠１１の下側を内周側、枠体１０の外側となる上枠１１の上側を外周側として示す。
【００２０】
上枠１１は、図４、図５に示すように、長手方向となる左右方向に貫通し見込み方向に並べて設けられた３つの中空部を有する枠本体部１１１と、枠本体部１１１をなし開口１０ａを形成する枠体１０の内周に臨む見込面としての本体内板面１１２の室内側の端から内周側に垂設された内壁部１１３と、本体内板面１１２の室外側の端から内周側に垂設された外壁部１１４と、内壁部１１３と外壁部１１４との間にて見込み方向において互いに間隔を隔てて本体内板面１１２から枠体１０の内周側に突出する内突出部１１５および外突出部１１６と、枠本体部１１１の外周側となる外周面１１７に設けられて躯体２に固定される上躯体固定部１１８と、内壁部１１３の室内に臨む面に設けられて躯体２に固定される内躯体固定部１１９と、を有している。
【００２１】
内突出部１１５は、室外側の面１１５ａが、枠本体部１１１が有する真ん中の中空部１１１ａを形成する室内側の壁部の内面１１１ｂと、見込み方向においてほぼ同じ位置に位置するように上枠１１に設けられている。外突出部１１６は、室外側の面１１６ａが、中空部１１１ａを形成する室外側の壁部の室外側の面１１１ｃと、見込み方向においてほぼ同じ位置に位置するように上枠１１に設けられている。このため、本体内板面１１２における内突出部１１５と外突出部１１６との間の部位は、中空部１１１ａの内周側に位置している。
【００２２】
上枠１１の内突出部１１５は、内障子３を案内する上レールをなし、上枠１１の外突出部１１６は、外障子４を案内する上レールをなしている。また、図３に示すように左枠１３の外突出部１３６は、外障子４を閉じた際に外障子４の戸先框２３に入り込み、右枠１４の内突出部１４５は、内障子３を閉じた際に内障子３の戸先框２３に入り込むように構成されている。
【００２３】
図４、図５に示すように、上枠１１の枠本体部１１１の中空部１１１ａ内に、長手方向に沿ってほぼ全長に渡り、枠体１０の各枠材１１、１２、１３、１４をなす合成樹脂より融点が高い鉄製の枠補強部材３０が設けられている。また、上枠１１の外周側には、外周面１１７に当接されて枠補強部材３０と接合される板部３１ａと上躯体固定部１１８の室外側の面に当接されて上躯体固定部１１８とともに躯体２に固定される板部３１ｂとを有し断面Ｌ字状をなす鉄製の固定補強金具３１が設けられている。
【００２４】
枠補強部材３０は、断面がほぼコ字状をなし、中空部１１１ａの外周側の面１１１ｄに対向する外周板部３０ａと、内周側の面１１１ｅに対向する内周板部３０ｂと、外周板部３０ａの室外側の縁と内周板部３０ｂの室外側の縁とを連結する連結板部３０ｃを有している。枠補強部材３０は、連結板部３０ｃが室外側に位置するように配置され、内周板部３０ｂは、中空部１１１ａの見込み方向の幅より僅かに狭く形成されており、外周板部３０ａは、内周板部３０ｂのほぼ半分の幅をなし、上枠１１の外周側に設けられた固定補強金具３１の板部３１ａと接合されている。
【００２５】
上枠１１の内突出部１１５および外突出部１１６には、本体内板面１１２と当該内突出部１１５または外突出部１１６とに沿って、枠体１０より融点が高いアルミニウム製の上突部補強部材３２が設けられている。上枠１１の内突出部１１５および外突出部１１６に設けられた上突部補強部材３２は、本体内板面１１２に当接されて中空部１１１ａ内の枠補強部材３０に固定される見込面当接部３２ａと、内突出部１１５または外突出部１１６に沿う側補強部３２ｂと、を有し、側補強部３２ｂの先端には、内突出部１１５および外突出部１１６の先端の互いに対向する側の角部に設けられた被係止部１１５ｂ、１１６ｂに係止される係止片３２ｃが設けられている。
【００２６】
上突部補強部材３２は、係止片３２ｃが被係止部１１５ｂ、１１６ｂと係止して見込面当接部３２ａが枠補強部材３０に固定されたときに、側補強部３２ｂの先端と内突出部１１５および外突出部１１６の先端との本体内板面１１２からの突出量Ｌ１が等しくなるように構成されている。
【００２７】
上枠１１の内突出部１１５に設けられる上突部補強部材３２は、内突出部１１５の室外側の面１１５ａに側補強部３２ｂが沿うように配置され、内障子３および外障子４により開口１０ａを閉じたときに、図６に示すように、内障子３と対向する範囲に設けられている。また、上枠１１の外突出部１１６に設けられる上突部補強部材３２は、外突出部１１６の室内側の面１１６ｃに側補強部３２ｂが沿うように配置され、内障子３および外障子４により開口１０ａを閉じたときに内障子３と対向する範囲に設けられている。すなわち、内突出部１１５および外突出部１１６に設けられる上突部補強部材３２はそれぞれ、左右方向において互いに異なる側のほぼ半分の範囲に設けられており、内突出部１１５および外突出部１１６の全長に亘って設けられてはいない。
【００２８】
また、内障子３と外障子４との召合せ部においては、内突出部１１５側の上突部補強部材３２と外突出部１１６側の上突部補強部材３２との側補強部３２ｂ同士が見込み方向において対向している。また、内突出部１１５および外突出部１１６に設けられる上突部補強部材３２は、上枠１１における内障子３と外障子４との召合せ部に設けられた風止部材１６と干渉しないように一部が切り欠かれている。図６においては、上突部補強部材３２をグレーに着色して示している。
【００２９】
左枠１３には、図７に示すように、内障子３および外障子４を閉じた際に、外障子４の戸先框２３の、後述する溝状凹部２３ｅに挿入される外突出部１３６にアルミニウム製の縦突部補強部材３３が外突出部１３６のほぼ全長に亘って設けられ、右枠１４には、内障子３および外障子４を閉じた際に、内障子３の戸先框２３の溝状凹部２３ｅに挿入される内突出部１４５にアルミニウム製の縦突部補強部材３３が内突出部１４５のほぼ全長に亘って設けられている。
【００３０】
左枠１３の外突出部１３６および右枠１４の内突出部１４５に設けられる縦突部補強部材３３は、上枠１１の内突出部１１５および外突出部１１６に設けられた上突部補強部材３２の係止片３２ｃよりも更に先端側に張り出しており、左枠１３の外突出部１３６および右枠１４の内突出部１４５より張り出した張出部３３ｄが外突出部１３６および内突出部１４５の先端を覆うように形成されている。このため、左枠１３および右枠１４に設けられた縦突部補強部材３３の本体内板面１１２からの突出量Ｌ２は、上枠１１に設けられた上突部補強部材３２の本体内板面１１２からの突出量Ｌ１より大きくなるように形成されている。ここで、上突部補強部材３２は、縦突部補強部材３３の張出部３３ｄを切除して用いても構わない。
【００３１】
内障子３および外障子４は、図１に示すように、各々面材としての複層ガラス５と、複層ガラス５を囲む合成樹脂製の框２０とを有している。框２０は、複層ガラス５を囲むとともに当該複層ガラス５の各端部が挿入される合成樹脂製の框材でなる上框２１、下框２２、戸先框２３および戸尻框２４を有している。内障子３および外障子４の上框２１、下框２２、戸先框２３は、ほぼ同一の断面形状をなしており、内障子３の戸尻框２４と外障子４の戸尻框２４とは、見込み方向において互いに対向する部位に設けられた煙返しを構成する部位の形状が相違している。
【００３２】
框２０は、上框２１、下框２２、戸先框２３および戸尻框２４が各々の長手方向における端部が長手方向に対して斜めに切断され、互いに隣接する框材２１、２２、２３、２４の端部同士を突き合わせて溶着することにより形成されている。
【００３３】
内障子３および外障子４の構造は、ほぼ同様なので、以下の説明においては、外障子４を例に挙げて構造を説明する。また、框２０を構成する上框２１、下框２２、戸先框２３および戸尻框２４の構造については、上框２１を例に挙げて説明し、下框２２、戸先框２３および戸尻框２４については、上框２１と同一の部位に、各々の框材を示す番号（例えば左框の場合には「２３」）の後に同一の数字およびアルファベット添えた符号を付して示すものとする。また、上框２１の説明において、他の框材２２、２３、２４にも共通するように方向を示すため、框２０の面内方向において開口１０ａの中央側となる上框２１の下側を内周側、框２０の外側となる上框２１の上側を外周側として示す。
【００３４】
外障子４の上框２１は、図４、図５に示すように、框本体２１ａと、框本体２１ａに設けられた係合溝２１ｂに各々係合される押縁６と、を有している。框本体２１ａに係合された押縁６は、矩形状に接合された框２０の状態において、その内周側に、複層ガラス５の端部が挿入されるガラス挿入部２１ｃを框本体２１ａとともに形成する。
【００３５】
上框２１は、ガラス挿入部２１ｃの外周側に各々長手方向に貫通する中空部２１ｄを有し、さらに中空部２１ｄの外周側に枠体１０に設けられ枠体１０の内周側に突出する上枠１１の外突出部１１６が挿入される溝部としての溝状凹部２１ｅを有している。ガラス挿入部２１ｃ、中空部２１ｄ、溝状凹部２１ｅは、いずれも上框２１の各々全長に渡って設けられている。
【００３６】
すなわち、複層ガラス５の上に位置する上框２１においては、下部に複層ガラス５の上端が挿入されるガラス挿入部２１ｃが設けられており、ガラス挿入部２１ｃの上（外周側）に中空部（以下、上框中空部ともいう）２１ｄが設けられており、中空部２１ｄの上（外周側）に、枠体１０の上枠１１に設けられた外突出部１１６が挿入される溝状凹部２１ｅが、いずれも上框２１の全長に渡って設けられている。また、溝状凹部２１ｅを形成し互いに対向する壁部２１ｆの外周側端部に各々、互いに対向する方向に向かって突出するように、繊維が起毛状に設けられた止水材９が設けられている。
【００３７】
上框２１のガラス挿入部２１ｃ内には、複層ガラス５の周端部を覆うように不燃性である鉄製の保持部材７が設けられ、上框２１の中空部２１ｄ内には、不燃性である鉄製の框補強部材２５が設けられ、溝状凹部２１ｅ内には、不燃性である鉄製の溝補強部材２６が各々設けられている。保持部材７、框補強部材２５、溝補強部材２６は、各々上框２１のほぼ全長に亘って設けられ、保持部材７と框補強部材２５とはガラス挿入部２１ｃから中空部２１ｄに貫通するビスまたはリベットにより接合され、框補強部材２５と溝補強部材２６とは、溝状凹部２１ｅから中空部２１ｄに貫通するビスまたはリベットにより接合されている。また、互いに隣接して接合される上框２１と戸先框２３とに設けられた框補強部材２５同士は不燃性である鉄製の連結金具(不図示)により、上框２１および戸先框２３の切り欠かれた部位にて直接連結されている。
【００３８】
框補強部材２５は、断面がコ字状をなし、複層ガラス５の面内方向において対向する一対の対向壁部２５ａと、対向壁部２５ａの一方の端同士を連結する連結壁部２５ｂと、を有している。一対の対向壁部２５ａは、中空部２１ｄにおいて複層ガラス５の面内方向において対向する内面とそれぞれ対面し、連結壁部２５ｂは、中空部２１ｄの室外側の内面と対面するように配置されている。框補強部材２５の長手方向における両端部は、端部が上框２１の小口から突出しないように配置されている。框補強部材２５の連結壁部２５ｂの両面にはそれぞれ熱膨張性黒鉛８が設けられている。
【００３９】
溝補強部材２６は、断面がコ字状をなし、溝状凹部２１ｅの対向する壁部２１ｆにそれぞれ沿うとともに対面する室内側壁部２６ａおよび室外側壁部２６ｂと、室内側壁部２６ａおよび室外側壁部２６ｂの一方の端同士を連結し底部２１ｇに沿うとともに対面する底側連結部２６ｃと、を有している。このとき、室内側壁部２６ａおよび室外側壁部２６ｂは、その先端が溝状凹部２１ｅの対向する壁部２１ｆの外周側端部に設けられ、止水材９が嵌合される嵌合部２１ｈを塞がない位置まで延出されている。
【００４０】
溝補強部材２６の長手方向における両端部は、上框２１の溝状凹部２１ｅから突出しないように配置されている。溝補強部材２６の底側連結部２６ｃの外周側の面には全長に亘って熱膨張性黒鉛８が設けられている。また、室外側壁部２６ｂの室外側の面にも、全長に亘って熱膨張性黒鉛８が設けられている。
【００４１】
建物等に取り付けられた枠体１０に内障子３および外障子４を取り付け、開口１０ａを閉止した状態では、図４、図５、図７に示すように、上枠１１の外突出部１１６および外突出部１１６に設けられた上突部補強部材３２が、外障子４の上框２１の溝状凹部２１ｅおよび溝状凹部２１ｅ内の溝補強部材２６に挿入されて、上突部補強部材３２の側補強部３２ｂと溝補強部材２６の室内側壁部２６ａとが見込み方向において対向し、左枠１３の外突出部１３６に設けられた縦突部補強部材３３が、外障子４の戸先框２３の溝状凹部２３ｅおよび溝状凹部２３ｅ内の溝補強部材２６に挿入されて、縦突部補強部材３３の側補強部３３ｂと溝補強部材２６の室内側壁部２６ａとが見込み方向において対向している。
【００４２】
また、上枠１１の内突出部１１５と内突出部１１５に設けられた上突部補強部材３２とが、内障子３の上框２１の溝状凹部２１ｅおよび溝状凹部２１ｅ内の溝補強部材２６に挿入されて、上突部補強部材３２の側補強部３２ｂと溝補強部材２６の室外側壁部２６ｂとが見込み方向において対向し、右枠１４の内突出部１４５に設けられた縦突部補強部材３３が、内障子３の戸先框２３の溝状凹部２３ｅにおよび溝状凹部２３ｅ内の溝補強部材２６に挿入されて、縦突部補強部材３３の側補強部３３ｂと溝補強部材２６の室外側壁部２６ｂとが見込み方向において対向している。
【００４３】
本実施形態の建具１によれば、内障子３と外障子４の溝状凹部２１ｅ、２３ｅ、２４ｅに設けられた溝補強部材２６と、上枠１１、左枠１３、右枠１４の内周に臨む本体内板面１１２および本体内板面１１２から内周側に突出されて内突出部１１５、１３５、１４５および外突出部１１６、１３６、１４６とに沿って設けられた上突部補強部材３２および縦突部補強部材３３とは、合成樹脂より融点が高いアルミニウム製なので、例え火炎などに晒されたとしても合成樹脂より溶融し難い。このため、枠体１０および框２０よりも長時間溶融することなく火炎に耐えることが可能である。
【００４４】
また、上突部補強部材３２および縦突部補強部材３３は溝補強部材２６と見込み方向において重なる部位を有しているので、火炎に晒されて枠体１０および框２０が溶融したときには、上突部補強部材３２および縦突部補強部材３３が設けられていない場合より確実に、障子３、４を枠体１０に保持することが可能である。
【００４５】
また、内突出部１１５、１３５、１４５および外突出部１１６、１３６、１４６に沿って枠体１０に設けられた上突部補強部材３２および縦突部補強部材３３は、障子３、４の溝補強部材２６に挿入されているので、例え火炎に晒されて枠体１０および框２０が溶融したとしても、障子３、４が枠体１０から外れることを防止することが可能である。このとき、上突部補強部材３２は、内周側の先端が、上枠１１の突出部１１５、１１６の先端と揃う位置まで突出しているので、例え火炎に晒されて枠体１０および框２０が溶融したときに、上突部補強部材３２が設けられていない場合より確実に、障子３、４を枠体１０に保持することが可能である。
【００４６】
より具体的には、合成樹脂製の枠体の場合には、突出部をなすレール備える中空部に金属製の補強部材が設けられている場合があるが、補強部材が中空部内に設けられている場合には、本実施形態のように上突部補強部材３２の内周側の先端が、上枠１１の突出部１１５、１１６の先端と揃う位置まで突出している場合より、突出部１１５、１１６の肉厚分だけ突出量が小さくなる。このため、上突部補強部材３２の内周側の先端を、上枠１１の本体内板面１１２から突出部１１５、１１６の先端と揃う位置まで突出させることにより、上突部補強部材３２の側補強部３２ｂと溝補強部材２６の室内側壁部２６ａまたは室外側壁部２６ｂとが見込み方向において対向する重なり代を、より大きく設けることが可能である。
【００４７】
また、縦突部補強部材３３は、内突出部１１５、１３５、１４５および外突出部１１６、１３６、１４６以上に内周側に張り出す張出部を有しているので、例え火炎に晒されて枠体１０および框２０が溶融した場合であってもより確実に、障子３、４を枠体１０に保持することが可能である。
【００４８】
また、上突部補強部材３２および縦突部補強部材３３は、内障子３および外障子４により開口１０ａを閉じたときに、内突出部１１５、１３５、１４５および外突出部１１６、１３６、１４６において、内障子３および外障子４の各々と対向する範囲に設けられているので、開口１０ａを閉じたときに火炎に晒されても、より確実に障子３、４を枠体１０に保持することが可能である。
【００４９】
また、内障子３および外障子４の上框２１における溝状凹部２１ｅの外周側端部に各々設けられた止水材９は、内障子３および外障子４を開閉操作する際に、上突部補強部材３２の一部に摺接するため、操作時の負荷が大きくなる。このため、上突部補強部材３２を内障子３および外障子４により開口１０ａを閉じたときに、内突出部１１５および外突出部１１６において、内障子３および外障子４の各々と対向する範囲のみとすることにより、内障子３および外障子４を開くにつれて止水材の、上突部補強部材３２との接触面積が小さくなり操作時の負荷を軽減することが可能である。
【００５０】
また、外周部に溝状凹部２１ｅ、２３ｅを備えた障子３、４は、けんどん方式にて枠体１０に建て込まれるため、上下方向においては内突出部１１５および外突出部１１６と溝補強部材２６との間に障子３、４を上方に移動して外すことが可能な間隔が必要であるが、左右方向、すなわち戸先框２３に設けられた溝状凹部２３ｅの溝補強部材２６と内突出部１１５および外突出部１１６との間には上下方向ほど大きな間隔は必要ない。このため、左枠１３および右枠１４に設けられた縦突部補強部材３３を、上枠１１に設けられた上突部補強部材３２より内周側に突出する突出量を大きくすることにより、左枠１３および右枠１４と戸先框２３との掛かり代をより大きくすることが可能である。このため、火炎に晒されても、より確実に障子３、４を枠体１０に保持することが可能である。
【００５１】
また、上突部補強部材３２および縦突部補強部材３３が、内突出部１１５、１３５、１４５および外突出部１１６、１３６、１４６の先端側に係止される係止片３２ｃ、３３ｃを有しているので、上突部補強部材３２の側補強部３２ｂおよび縦突部補強部材３３の側補強部３３ｂをより確実に内突出部１１５、１３５、１４５および外突出部１１６、１３６、１４６に沿わせることが可能である。また、縦突部補強部材３３の張出部３３ｄは係止片３３ｃより先端側に設けられているので、係止片３３ｃより先端側の部位を切除することにより、容易に張出量が相違する突部補強部材３２、３３を形成することが可能である。
【００５２】
上記実施形態においては、枠体１０を形成する枠材１１、１２、１３、１４および框２０を形成する框材２１、２２、２３、２４を合成樹脂製とし、枠補強部材３０、固定補強金具３１、框補強部材２５、溝補強部材２６を鉄製とし、上突部補強部材３２および縦突部補強部材３３をアルミニウム製としたが、これに限らず、枠材１１、１２、１３、１４および框２０を形成する框材２１、２２、２３、２４より融点が高い材料で形成されていれば構わない。
【００５３】
上記実施形態においては、内障子３と外障子４とを備えた引き違い窓用の建具１について説明したが、これに限らず、例えば、１枚の引戸が袖壁側に引き込まれる片引き窓用の建具や、複数枚の障子にて開口が閉塞可能な、３枚引き違い窓、４枚引き違い窓用の建具であっても構わない。
【００５４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１  建具、３  内障子(障子)、４  外障子（障子）、１０  枠体、１０ａ  開口、
１１  上枠（枠材）、１３  左枠（枠材）、１４  右枠（枠材）、  ２０  框、
２１  上框、 ２１ｅ  溝状凹部、２３  戸先框、２３ｅ  溝状凹部、
２６  溝補強部材、３２  上突部補強部材、３２ｃ  係止片、３３  縦突部補強部材、
３３ｃ  係止片、３３ｄ  張出部、１１２  本体内板面、１１５  内突出部、
１１６  外突出部、１３２  本体内板面、１３６  外突出部、１４２  本体内板面、
１４５  内突出部
【図１】
0006433774.tif 000002
【図２】
0006433774.tif 000003
【図３】
0006433774.tif 000004
【図４】
0006433774.tif 000005
【図５】
0006433774.tif 000006
【図６】
0006433774.tif 000007
【図７】
0006433774.tif 000008